(57)【要約】【課題】錘を駆動回路に設けなくても、表示パネルを駆動する際に生じる音鳴りを低減することのできる携帯電話機を提供する。【解決手段】携帯電話機は、表示パネルと、前記表示パネルをリフレッシュさせるために充電と放電を繰り返すコンデンサと、通話の開始を判別する判別部と、前記判別部で通話開始と判別されると、リフレッシュレートに応じて発生する圧電効果による前記コンデンサの振動の周波数が可聴周波数の範囲内から可聴周波数の範囲外となるようリフレッシュレートを変更するリフレッシュレート変更部とを備えることを特徴とする。【選択図】図２
2013074369.tif 000002
【特許請求の範囲】
【請求項１】
表示パネルと、
前記表示パネルをリフレッシュさせるために充電と放電を繰り返すコンデンサと、
通話の開始を判別する判別部と、
前記判別部で通話開始と判別されると、前記表示パネルをリフレッシュさせるためのリフレッシュレートに応じて発生する圧電効果による前記コンデンサの振動の周波数が可聴周波数の範囲内から可聴周波数の範囲外となるようリフレッシュレートを変更するリフレッシュレート変更部とを備える
ことを特徴とする携帯電話機。
【請求項２】
前記判別部は、さらに通話終了を判別し、
前記リフレッシュレート変更部は、
前記判別部で通話終了と判別された後に、当該変更後のリフレッシュレートを変更前のリフレッシュレートへと戻す
ことを特徴とする請求項１に記載の携帯電話機。
【請求項３】
前記表示パネルに対するリフレッシュは、ライン反転方式により行われ、
前記表示パネルのライン数はＬ（Ｌは１以上の整数）個であり、
変更後のリフレッシュレートＴは、Ｔ×Ｌ×１／２から得られる値が可聴周波数の範囲外となることを満たす値である
ことを特徴とする請求項２に記載の携帯電話機。
【請求項４】
前記判別部は、さらに、
イヤフォンマイクの接続の検知、ハンズフリー機能の起動の検知及びテレビ電話機能の起動の検知を行い、
前記リフレッシュレート変更部は、
通話開始が検知された場合に、イヤフォンマイクの接続の検知、ハンズフリー機能の起動の検知及びテレビ電話機能の起動の検知のうち何れかが検知されると、リフレッシュレートを変更しない
ことを特徴とする請求項１に記載の携帯電話機。
【請求項５】
前記リフレッシュレート変更部は、
変更後のリフレッシュレートの値が、変更前のリフレッシュレートの値よりも大きくなるように変更する
ことを特徴とする請求項１に記載の携帯電話機。
【請求項６】
前記コンデンサは、
前記表示パネルを駆動させる表示駆動回路に含まれる
ことを特徴とする請求項１に記載の携帯電話機。
【請求項７】
表示パネルと、  前記表示パネルをリフレッシュさせるために充電と放電を繰り返すコンデンサと、判別部と、リフレッシュレート変更部とを備える携帯電話機で用いられる音鳴り低減方法であって、
前記判別部が、通話の開始を判別する判別ステップと、
前記リフレッシュレート変更部が、前記判別ステップで通話開始と判別されると、前記表示パネルをリフレッシュさせるためのリフレッシュレートに応じて発生する圧電効果による前記コンデンサの振動の周波数が可聴周波数の範囲内から可聴周波数の範囲外となるようリフレッシュレートを変更するリフレッシュレート変更ステップと
を含むことを特徴とする音鳴り低減方法。
【発明の詳細な説明】
【技術分野】
【０００１】
本発明は、携帯電話機において、表示パネルを駆動する際に生じる音鳴りを低減する技術に関するものである。
【背景技術】
【０００２】
通常、携帯電話機において、表示パネル、例えば液晶ディスプレイ（ＬＣＤ：Ｌｉｑｕｉｄ  Ｃｒｙｓｔａｌ  Ｄｉｓｐｌａｙ）の駆動に必要な昇圧回路電源の電圧が大きいため（例えば、１２Ｖ）、昇圧回路の設けられたコンデンサ（例えば、セラミックコンデンサ）が圧電効果により振動して音鳴りが発生する。
携帯電話機では、例えば１秒間に６０回の画面のリフレッシュが行われている。画面のリフレッシュの方式としてライン反転がある。このライン反転は、表示パネルのライン数を３２０ラインとすると、図５に示すような処理により、表示パネル１０００のリフレッシュが行われる。具体的には、先ず図５（ａ）に示すように、奇数番目のフレームに対しては、２ラインを１組として、上位ラインに＋の電圧を、下位ラインに対して−の電圧を、上位の組から順次印加することで、表示パネル１０００のリフレッシュを行う。次のリフレッシュ時においては（偶数番目の画像において）、図５（ｂ）に示すように、２ラインを１組として、上位ラインに−の電圧を、下位ラインに対して＋の電圧を、上位の組から順次印加することで、表示パネル１０００のリフレッシュを行う。ライン反転では、＋の電圧を印加するためのコンデンサ及び−の電圧を印加するためのコンデンサが設けられており、リフレッシュを行う場合にはこれらコンデンサが各ラインに電圧を印加するために充電及び放電を繰り返しており、例えば、リフレッシュにより奇数番目のフレームを表示する際には、＋の電圧を印加するために用いられるコンデンサは、１、３、５、・・・、３１９ライン、つまり奇数番目のラインに対して、充電及び放電を繰り返して順次印加する。これと同時に、−の電圧を印加するために用いられるコンデンサは、２、４、６、・・・、３２０ライン、つまり偶数番目のラインに対して、充電及び放電を繰り返して順次印加する。このようにリフレッシュ時において、ライン毎に電圧印加が繰り返されると、その度に圧電効果によりコンデンサが振動し、その周波数は、リフレッシュレート“６０Hz”×ライン数“３２０”×１／２＝９．６ｋＨｚとなる。この周波数は人の可聴周波数の範囲内であるので、通話時に、携帯電話機を耳に近づけることでユーザにはコンデンサの振動による音鳴りが聴こえてしまう。
【０００３】
ところで、表示パネルが駆動される際の圧電効果によるコンデンサの振動を低減するための技術として、特許文献１がある。
特許文献１では、表示パネルを駆動する回路基板に、振動抑制部材（錘）を設けることで、コンデンサの振動を低減している。
【先行技術文献】
【特許文献】
【０００４】
【特許文献１】特開２０１０−２０４５６７号公報
【発明の概要】
【発明が解決しようとする課題】
【０００５】
上記特許文献１で示すように、錘を駆動回路に設けることで、コンデンサの振動を低減することはできる。しかしながら、錘を設けるため基板上の位置の確保が必要となったり、錘を設けたことによる重量の増加となったりして、小型化、軽量化が望まれる携帯電話機においては、特許文献１の技術を用いてコンデンサの振動を制御することは好ましくない。
【０００６】
そこで、本発明は、表示パネルを駆動する際に生じる音鳴りを低減することのできる携帯電話機及び音鳴り低減方法を提供することを目的とする。
【課題を解決するための手段】
【０００７】
上記目的を達成するために、本発明は、携帯電話機であって、表示パネルと、前記表示パネルをリフレッシュさせるために充電と放電を繰り返すコンデンサと、通話の開始を判別する判別部と、前記判別部で通話開始と判別されると、前記表示パネルをリフレッシュさせるためのリフレッシュレートに応じて発生する圧電効果による前記コンデンサの振動の周波数が可聴周波数の範囲内から可聴周波数の範囲外となるようリフレッシュレートを変更するリフレッシュレート変更部とを備えることを特徴とする。
【発明の効果】
【０００８】
上記の構成によると、携帯電話機は、表示パネルを駆動する際に生じる音鳴りを低減することができる。
【図面の簡単な説明】
【０００９】
【図１】携帯電話機１０の外観を示す図である。
【図２】携帯電話機１０において、表示パネルを駆動する際に生じる音鳴りを低減する構成を示すブロック図である。
【図３】表示駆動回路１１０の構成を示す図である。
【図４】携帯電話機１０において、表示パネルを駆動する際に生じる音鳴りを低減する処理を示す流れ図である。
【図５】ライン反転を説明する図である。
【発明を実施するための形態】
【００１０】
１．第１の実施の形態
以下、本発明の一実施形態である携帯電話機１０について説明する。
１．１  概要
携帯電話機１０の外観について図１を参照しつつ説明する。図１（ａ）は、本実施の形態における携帯電話機１０の閉状態の斜視図であり、（ｂ）は開状態の斜視図である。
【００１１】
携帯電話機１０は筐体１１、１２を備えており、携帯電話機１０は筐体１２に対して筐体１１をスライドさせることで、開閉ができるように構成されている。
筐体１１には、スピーカ部１３と、液晶ディスプレイなどで構成された表示部１４とが配置されている。ここで、表示部１４の液晶ディスプレイのライン数を３２０とし、ライン反転により画面のリフレッシュがなされている。
【００１２】
筐体１２には、通話開始ボタン１６及び通話終了ボタン１７を含むキー操作部１５と、マイクロフォン１８とが配置されている。
ここで、携帯電話機１０は、イヤフォンマイクの接続が可能である。例えば、筐体１２に備えられたカバー１９を外すと、後述するイヤフォン端子２１が現れ、当該イヤフォン端子にイヤフォンマイクを接続することで、通話時には、スピーカ部１３及びマイクロフォン１８を利用する代わりに、イヤフォン端子２１に接続されたイヤフォンマイクを利用することが可能となる。
【００１３】
また、携帯電話機１０は、ハンズフリー機能を有している。ハンズフリー機能とは、電話機本体に内蔵されたマイクとスピーカを用いて、手に持つことなく、つまり耳に近づけることなく、通話を可能とする機能である。
１．２  構成
ここでは、携帯電話機１０において、表示パネルを駆動する際に生じる音鳴りを低減する構成について説明する。
【００１４】
携帯電話機１０は、図２に示すように、スピーカ部１３、表示部１４、キー操作部１５、マイクロフォン１８、送受信部２０、イヤフォン端子２１、制御部２２、電源部２３及びアンテナ２４から構成されている。
（１）イヤフォン端子２１
イヤフォン端子２１は、イヤフォンマイクを接続するための端子である。
【００１５】
（２）キー操作部１５
キー操作部１５は、複数のボタンが配列されており、携帯電話機１０の操作を行うためのものである。
特に、通話の着信又は発信時において、通話開始ボタン１６が押下されると、オフフック状態となり通話が開始され、通話終了ボタン１７が押下されると、オンフック状態となり通話が終了する。
【００１６】
（３）電源部２３
電源部２３は、各回路等に電源を供給するものである。
各回路等は、電源部２３からの電源の供給を受けることで、その動作を行うことができる。
（４）制御部２２
制御部２２は、携帯電話機１０の動作を制御するものである。
【００１７】
制御部２２は、図２に示すように、通話処理部１００、判別部１０１及びリフレッシュレート変更部１０２を有している。
（４−１）通話処理部１００
通話処理部１００は、マイクロフォン１８から入力される音声信号を送受信部２０を介して送信するための処理や、アンテナ２４から送受信部２０を介して受信した音声信号をスピーカ部１３へ出力するための処理を行う。
【００１８】
（４−２）判別部１０１
判別部１０１は、通話の開始及び終了を検出するものである。
具体的には、判別部１０１は、着信又は発信があった場合に、ユーザの操作により通話開始ボタン１６が押下されたことを検知することで、通話の開始を検出する。また、通話処理部１００の処理が行われている場合に、ユーザの操作により通話終了ボタン１７が押下されたことを検知することで、通話の開始を検出する。ここで、携帯電話機１０が待ち受け状態である場合にユーザがキー操作部１５を操作して数字の入力がされることを検出することで、発信が検出される。
【００１９】
判別部１０１は、通話の開始を検知した場合、当該通話の形態が、イヤフォンマイクを用いた通話であるか、又はハンズフリー機能を用いた通話であるかを判別する。例えば、判別部１０１は、通話開始を検出した場合に、イヤフォン端子２１にイヤフォンマイクが接続されているときにはイヤフォンマイクを用いた通話の形態であると、またハンズフリー機能が起動している場合にはハンズフリー機能を用いた通話形態であると判別する。
【００２０】
（４−３）リフレッシュレート変更部１０２
リフレッシュレート変更部１０２は、判別部１０１の判別結果に応じて、表示パネルのリフレッシュレートを変更するか否かを決定する。リフレッシュレートを変更すると決定した場合には、リフレッシュレート変更部１０２は、表示部１４に対して通常のリフレッシュレートを可聴周波数の範囲外となるように変更する。
【００２１】
通常、人の可聴周波数は、年齢等により個人差があるが、ここでの可聴周波数の範囲とは、通常年齢等とは関係なく聞き取ることのできる範囲（例えば、２０Ｈｚから１３．５ｋＨｚ）であるとする。また、通常のリフレッシュレートは６０Ｈｚである、つまり１秒間に６０回リフレッシュするものとし、変更後のリフレッシュレートは、８５Ｈｚである。
【００２２】
画面ディスプレイのライン数が３２０である場合のライン反転による画面ディスプレイのリフレッシュでは、コンデンサの振動の周波数は、リフレッシュレート×ライン数“３２０”×１／２で算出される。通常のリフレッシュレート“６０Ｈｚ”の場合は、コンデンサの振動の周波数は９．６ｋＨｚとなり、可聴周波数の範囲内であるが、変更後のリフレッシュレート“８５Ｈｚ”の場合は、コンデンサの振動の周波数は、１３．６ｋＨｚとなり、上述した可聴周波数の範囲外となる。
【００２３】
（５）表示部１４
表示部１４は、画像等の表示に係る処理を行うものである。
具体的には、表示部１４は、図２に示すように、表示駆動回路１１０と表示パネル１１１とを有している。
（５−１）表示駆動回路１１０
表示駆動回路１１０は、表示パネル１１１を駆動するための回路であり、図３に示すように、ドライバ回路１２０と、当該ドライバ回路１２０に外付けされたコンデンサ１２１ａ〜１２１ｅ、信号線１２２、１２３及び信号線それぞれに接続されたコンデンサ１２４ａ、１２４ｂとを有している。
【００２４】
ドライバ回路は、表示パネル１１１を駆動するための電源電圧を作り出すものであり、図３に示すように、内部ロジック電源１３０と昇圧回路１３１とを有する。
内部ロジック電源１３０は、電源部２３から電源供給を受け、供給された電源を昇圧回路へ出力する。ここでは、電源部２３から供給される電源電圧は、２．６Ｖである。
昇圧回路１３１は、入力された電源（電圧２．６Ｖ）から表示パネル１１１の駆動に必要な電源（電圧１２Ｖ）を作り出す回路である。その詳細は、公知であるので、ここでの説明は省略する。昇圧回路１３１は、信号線１２２及び１２３を用いて、リフレッシュレートで定まる周期で、作り出した電圧の電流（リフレッシュ信号）を表示パネル１１１へ出力する。昇圧回路１３１は、通常はリフレッシュレート“６０Ｈｚ”で定まる周期（１／６０秒）で電流を出力しているが、通話開始が検出されるとリフレッシュレート変更部１０２の機能によりリフレッシュレートが通常の値“６０Ｈｚ”から“８５Ｈｚ”へと変更され、変更後のリフレッシュレート“８５Ｈｚ”で定まる周期（１／８５秒）で電流が出力される。また、通話終了が検出されるとリフレッシュレート変更部１０２の機能によりリフレッシュレートが“８５Ｈｚ”から通常のリフレッシュレートの値“６０Ｈｚ”へと変更され、通常のリフレッシュレート“６０Ｈｚ”で定まる周期で電流が出力される。例えば、リフレッシュレート変更部１０２の機能により、昇圧回路１３１で利用されるリフレッシュレートに係るパラメータが変更されることで、リフレッシュレートが変更される。
【００２５】
コンデンサ１２１ａ〜１２１ｅは、表示パネル１１１の駆動に必要な電源（電圧１２Ｖ）を蓄積する、昇圧用のコンデンサである。
信号線１２２及び信号線１２３は、表示パネル１１１と接続されており、リフレッシュレートで定まる周期で電流が流れる。信号線１２２から流れる電流は、表示パネル１１１のうちライン反転による＋の電圧が加えられる各ラインに順次出力される。また、信号線１２３から流れる電流は、表示パネル１１１のうちライン反転による−の電圧が加えられる各ラインに順次出力される。ここでは、基準を０Ｖとし、信号線１２２から流れる電流は１２Ｖの電圧で供給され、信号線１２３から流れる電流は−１２Ｖの電圧で供給される。
【００２６】
コンデンサ１２４ａ、１２４ｂそれぞれは、例えばセラミックコンデンサである。コンデンサ１２４ａは、あるリフレッシュのタイミングにおいて、液晶ディスプレイの＋側の電圧を印加する１６０個のラインそれぞれに電圧を順次供給するために、充電及び放電を１６０回行う。また、コンデンサ１２４ｂは、あるリフレッシュのタイミングにおいて、液晶ディスプレイの−側の電圧を印加する１６０個のラインそれぞれに電圧を順次供給するために、充電及び放電を１６０回行う。コンデンサ１２４ａ、１２４ｂそれぞれは各リフレッシュのタイミングで、充電及び放電を１６０回繰り返すため、この動作が繰り返される度に圧電効果により、コンデンサ１２４ａ、１２４ｂそれぞれは振動することとなる。リフレッシュレートが６０Ｈｚである場合の振動の周波数は、リフレッシュレート”６０Ｈｚ“×”ライン数３２０“×１／２＝９．６ｋHzとなる。つまり、コンデンサ１２４ａ、１２４ｂそれぞれの振動が音鳴りとして聞こえることとなる。
【００２７】
電源部２３と内部ロジック電源との間に存在するコンデンサ１２５は、電源部２３から供給される電源電圧を平滑するためのものである。
（５−２）表示パネル１１１
表示パネル１１１は、行列状に配列された画素により、画像等を表示するものであり、例えば、液晶ディスプレイである。
【００２８】
例えば、表示パネル１１１は、２４０×３２０の画素数からなり、表示駆動回路１１０から供給される電流により、画像等を表示する。
（６）マイクロフォン１８
マイクロフォン１８は、入力された音声を音声信号として制御部２２の通話処理部１００へ出力する。
【００２９】
（７）スピーカ部１３
スピーカ部１３は、通話処理部１００にて処理された音声信号を音声として出力する。
（８）送受信部２０
送受信部２０は、通話処理部１００から受け取った音声信号を無線信号へと変換してアンテナ２４を介して出力する。
【００３０】
送受信部２０は、アンテナ２４を介して受信した無線信号を音声信号へ変換して制御部２２の通話処理部１００へ出力する。
１．３  動作
ここでは、表示パネルを駆動する際に生じる音鳴りを低減する携帯電話機１０の動作について、図４に示す流れ図を用いて説明する。
【００３１】
携帯電話機１０の通話処理部１００は、着信又は発信があるか否かを判断する（ステップＳ５）。
判断が否定的である場合（ステップＳ５における「Ｎｏ」）、処理はステップＳ５へ戻る。
判断が肯定的である場合（ステップＳ５における「Ｙｅｓ」）、判別部１０１は、通話が開始されたか否かを判断する（ステップＳ１０）。具体的には、判別部１０１は、通話開始ボタン１６が押下された否かを判断する。
【００３２】
通話が開始されていないと判断する場合（ステップＳ１０における「Ｎｏ」）、処理はステップＳ１０へ戻る。
通話が開始されたと判断する場合（ステップＳ１０における「Ｙｅｓ」）、判別部１０１は、通話の形態がハンズフリー通話又はイヤフォンマイクによる通話であるかを判断する（ステップＳ１５）。具体的には、判別部１０１は、イヤフォン端子２１にイヤフォンマイクが接続されているか、又はハンズフリー機能が起動しているかを判断する。
【００３３】
通話形態がハンズフリー通話又はイヤフォンマイクによる通話であると判断する場合（ステップＳ１５における「Ｙｅｓ」）、表示部１４はリフレッシュレートを変更することなく通常の処理で画像等の表示を行う（ステップＳ３０）。
通話形態がハンズフリー通話でもなく、イヤフォンマイクによる通話でもないと判断する場合（ステップＳ１５における「Ｎｏ」）、リフレッシュレート変更部１０２は、リフレッシュレートが変更されているか否かを判断する（ステップＳ２０）。変更されていないと判断する場合には（ステップＳ２０における「Ｎｏ」）、リフレッシュレート変更部１０２は、表示部１４に対して通常のリフレッシュレートを可聴周波数の範囲外となるように変更する（ステップＳ２５）。ステップＳ２０、Ｓ２５についての具体的な動作を以下に示す。リフレッシュレート変更部１０２は、リフレッシュレートが変更されているか否かを示すフラグを有しており、初期（リフレッシュレートが変更されていない場合）の値を０とし、変更されている場合には値を１とする。リフレッシュレート変更部１０２は、フラグの値が１である場合にはリフレッシュレートが変更されていると判断し、フラグの値が０である場合にはリフレッシュレートが変更されていないと判断する。リフレッシュレートが変更されていないと判断する場合には、リフレッシュレート変更部１０２は、昇圧回路１３１に対して昇圧回路１３１で利用されるリフレッシュレートに係るパラメータをリフレッシュレートが６０Ｈｚから８５Ｈｚとなるように変更し、フラグの値を０から１へ更新する。
【００３４】
ステップＳ２５の処理後、ステップＳ３０の処理後、又はリフレッシュレート変更部１０２がリフレッシュレートは変更されていると判断する場合（ステップＳ２０における「Ｙｅｓ」）、判別部１０１は、通話が終了したか否かを判断する（ステップＳ３５）。具体的には、判別部１０１は、通話終了ボタン１７が押下された否かを判断する。
通話が終了していないと判断する場合（ステップＳ３５における「Ｎｏ」）、処理はステップＳ１５へ戻る。
【００３５】
通話が終了したと判断する場合（ステップＳ３５における「Ｙｅｓ」）、リフレッシュレート変更部１０２は、表示部１４に対して変更後のリフレッシュレートから通常のリフレッシュレートへと変更する（ステップＳ４０）。具体的には、リフレッシュレート変更部１０２は、昇圧回路１３１に対して昇圧回路１３１で利用されるリフレッシュレートに係るパラメータをリフレッシュレートが８５Ｈｚから６０Ｈｚとなるように変更し、フラグの値を１から０へ更新する。
【００３６】
１．４  変形例
以上、実施の形態に基づいて説明したが、本発明は上記の実施の形態に限られない。例えば、以下のような変形例が考えられる。
（１）上記実施の形態において、リフレッシュレート変更部１０２は、通話形態がハンズフリー通話又はイヤフォンマイクによる通話である場合には、リフレッシュレートは変更しないとしたが、これに限定されない。
【００３７】
リフレッシュレート変更部１０２は、通話形態に関係なく、リフレッシュレートを変更してもよい。
（２）上記実施の形態では、昇圧回路１３１は、基準電圧を０Ｖとして、出力される電圧を作り出したが、これに限定されない。
昇圧回路１３１は、差動電圧を基準として出力される電圧を作り出してもよい。
【００３８】
（３）上記実施の形態では、昇圧回路１３１で作り出される電圧は、１２Ｖと固定的なものとしたが、これに限定されない。
作り出される電圧は、例えば、１２〜１８Ｖといったある範囲内であってもよい。
（５）上記実施の形態では、変更後のリフレッシュレートの値を８５Ｈｚとしたが、これに限定されない。
【００３９】
変更後のリフレッシュレートの値は、コンデンサの振動の周波数が可聴周波数外となるものであればよい。つまり、変更後のリフレッシュレートにより、コンデンサの振動の周波数が１３．５ｋＨｚ以上、又は２０Ｈｚ以下となるものであればよい。または、リフレッシュレートを０Ｈｚとしてもよい。
（６）上記実施の形態では、通話の開始及び終了を、通話開始ボタン１６及び通話終了ボタン１７の押下によって判断したが、これに限定されない。
【００４０】
通話の開始及び終了を、人感センサにより検出してもよい。通常、通話時には携帯電話機のユーザは当該携帯電話機を自分の耳に近づける。そこで、人感センサを通話時に耳触れる位置に設けることで実現できる。
（７）上記実施の形態において、リフレッシュレートの変更対象の通話形態として、ハンズフリー通話又はイヤフォンマイクによる通話を一例として挙げたが、これに限定されない。
【００４１】
リフレッシュレート変更部１０２は、ＴＶ電話機能を用いた通話形態の場合においても、リフレッシュレートを変更してもよい。つまり、通話時において、表示パネル１１１を見ることのできる通話形態をリフレッシュレートの変更対象としてもよい。
（８）上記実施の形態において、リフレッシュレート変更部１０２は、ドライバ回路１２０内に設ける、又は表示駆動回路１１０内であってドライバ回路１２０外に設けてもよい。
【００４２】
（９）上記実施の形態において、リフレッシュの方式として、行毎に配列された画素に対して電圧の印加を行うライン反転方式（以下、行ライン反転方式）を用いたが、これに限定されない。
フレーム反転方式であってもよいし、行毎に配列された画素に対して電圧の印加を行う列ライン反転方式であってもよい。つまりは、表示パネルを駆動する際に、リフレッシュレートに応じて発生する圧電効果によりコンデンサが振動する方式であればよい。
【００４３】
（１０）上記実施の形態において、可聴周波数の範囲として“２０Hz〜１３．５ｋHz”としたが、これは一例であり、他の範囲で可聴周波数の範囲を設定してもよい。
（１１）上記実施の形態及び変形例を組み合わせるとしてもよい。
１．５  まとめ
画面のリフレッシュによりコンデンサの振動で生じる音鳴りを低減するために、リフレッシュレートを常に音鳴りの周波数が可聴周波数外となるように設定することが考えられる。
【００４４】
しかしながら、リフレッシュレートの値を常に大きな値（例えば、８５）とすると、頻繁に画面のリフレッシュが行われることとなり、消費電力が大きくなるという問題が生じる。また、リフレッシュレートの値を常に小さな値（例えば、０．１）とすると、画面の点滅を人の目で認識できるようになるというフリッカーの問題が生じる。
通常、通話時には携帯電話機を耳に当てるので、ユーザは通話中に画面を見ることはあまりない。そこで、通話中に限ってリフレッシュレートを変更することで、上記の問題を最小限に抑えつつ、コンデンサの振動で生じる音鳴りを可聴周波数の範囲外となるよう制御することができる。
【００４５】
１．６  補足
（１）本発明の一態様である、携帯電話機は、表示パネルと、前記表示パネルをリフレッシュさせるために充電と放電を繰り返すコンデンサと、通話の開始を判別する判別部と、前記判別部で通話開始と判別されると、前記表示パネルをリフレッシュさせるためのリフレッシュレートに応じて発生する圧電効果による前記コンデンサの振動の周波数が可聴周波数の範囲内から可聴周波数の範囲外となるようリフレッシュレートを変更するリフレッシュレート変更部とを備えることを特徴とする。
【００４６】
この構成によると、携帯電話機は、通話中においてコンデンサの振動で生じる音鳴りを可聴周波数の範囲外となるようリフレッシュレートを変更するので、ユーザは通話中にコンデンサの振動による音鳴りを聞くことはない。つまり、携帯電話機は、表示パネルを駆動する際に生じる音鳴りを低減することができる。
（２）ここで、前記判別部は、さらに通話終了を判別し、前記リフレッシュレート変更部は、前記判別部で通話終了と判別された後に、当該変更後のリフレッシュレートを変更前のリフレッシュレートへと戻すとしてもよい。
【００４７】
この構成によると、携帯電話機は、通話が終了すると、変更されたリフレッシュレートを変更前のリフレッシュレートへ戻している。例えば、変更後のリフレッシュレートが変更前のレートよりも大きい場合において、変更した状態を保ったままにすると、頻繁に画面のリフレッシュが行われることとなり、消費電力が大きくなるという問題が生じる。逆に、変更後のリフレッシュレートが変更前のレートよりも小さい場合において、変更した状態を保ったままにすると、画面の点滅を人の目で認識できるようになるというフリッカーの問題が生じる。そこで、通話が終了した際に、変更前のリフレッシュレートへ戻すことで、これらの問題の発生を最小限なものとすることができる。
【００４８】
（３）ここで、前記表示パネルに対するリフレッシュは、ライン反転方式により行われ、
前記表示パネルのライン数はＬ（Ｌは１以上の整数）個であり、変更後のリフレッシュレートＴは、Ｔ×Ｌ×１／２から得られる値が可聴周波数の範囲外となることを満たす値であるとしてもよい。
【００４９】
この構成によると、携帯電話機は、リフレッシュレートＴ×ライン数Ｌ×１／２より得られる周波数が可聴範囲外となるようリフレッシュレートＴを決定することで、表示パネルを駆動する際に生じる音鳴りを低減することができる。
（４）ここで、前記判別部は、さらに、イヤフォンマイクの接続の検知、ハンズフリー機能の起動の検知及びテレビ電話機能の起動の検知を行い、前記リフレッシュレート変更部は、通話開始が検知された場合に、イヤフォンマイクの接続の検知、ハンズフリー機能の起動の検知及びテレビ電話機能の起動の検知のうち何れかが検知されると、リフレッシュレートを変更しないとしてもよい。
【００５０】
この構成によると、携帯電話機は、通話形態がイヤフォンマイクを用いた通話、ハンズフリーによる通話及びテレビ電話による通話のうち何れかであるときにはリフレッシュレートを変更しない。イヤフォンマイクを用いた通話、ハンズフリーによる通話及びテレビ電話による通話のうち何れかであるときにはユーザは、通話中においても画面を見る可能性がある。そのため、このような通話形態においてはリフレッシュレートを変更しないことで、リフレッシュレートを変更したことにより生じる消費電力の問題やフリッカーの問題を回避することができる。
【００５１】
（５）ここで、前記リフレッシュレート変更部は、変更後のリフレッシュレートの値が、変更前のリフレッシュレートの値よりも大きくなるように変更するとしてもよい。
この構成によると、携帯電話機は、通話時においてリフレッシュレートの値を上げる方向に変更しているので、リフレッシュレートの値を下げる方向に変更した場合に生じるフリッカーの問題を回避することができる。これにより、通話中のユーザが、たまたま画面を見たとしても、フリッカー現象の視認を低減することができる。
【００５２】
（６）ここで、前記コンデンサは、前記表示パネルを駆動させる表示駆動回路に含まれるとしてもよい。
この構成によると、携帯電話機は、表示駆動回路に含まれるコンデンサの振動の周波数を可聴周波数の範囲外となるようリフレッシュレートを変更する。通常、表示駆動回路に含まれるコンデンサはリフレッシュレートに応じて振動し音鳴りが発生している。そこで、当該コンデンサについて振動の周波数を可聴周波数の範囲外となるようリフレッシュレートを変更することで、表示パネルのリフレッシュ、つまり表示パネルを駆動する際に生じる音鳴りを低減することができる。
【産業上の利用可能性】
【００５３】
本発明は、表示パネルを駆動することで音鳴りが生じる携帯電話機に有効である。
【符号の説明】
【００５４】
１０    携帯電話機
１１、１２    筐体
１３    スピーカ部
１４    表示部
１５    キー操作部
１６    通話開始ボタン
１７    通話終了ボタン
１８    マイクロフォン
２０    送受信部
２１    イヤフォン端子
２２    制御部
２３    電源部
２４    アンテナ
１００    通話処理部
１０１    判別部
１０２    リフレッシュレート変更部
１１０    表示駆動回路
１１１    表示パネル
１２０    ドライバ回路
１２１ａ〜１２１ｅ、１２４ａ、１２４ｂ、１２５  コンデンサ
１２２、１２３    信号線
１３０    内部ロジック電源
１３１    昇圧回路
【図１】
2013074369.tif 000003
【図２】
2013074369.tif 000004
【図３】
2013074369.tif 000005
【図４】
2013074369.tif 000006
【図５】
2013074369.tif 000007